(57)【特許請求の範囲】
【請求項１】
トイレルームの床面の排水管と洋風便器の排水口との位置がずれる場合に、
該排水口が接続される便器排水口接続口を有した排水ソケットと、
該排水管に接続される排水管接続口を有したエルボ体と、
該排水ソケットとエルボ体とを接続する横引きのアジャスタ管と
を有する排水器具によって該排水管と排水口とを接続する便器施工に用いられる型紙であって、
該アジャスタ管の長さ調節のための寸法出しを行うためのアジャスタ管寸法出し部を備えた型紙において、
該アジャスタ管寸法出し部は、
該アジャスタ管の一端に揃えられる基準部と、
該アジャスタ管寸法出し部が該アジャスタ管の該一端に該基準部を揃えて配置された状態において、トイレルームの壁面から前記排水管の軸心までの距離Ｄに対応した該アジャスタ管の他端側の切断位置を示す目盛りと
を有していることを特徴とする型紙。
【請求項２】
請求項１において、前記目盛りは、前記アジャスタ管寸法出し部が前記アジャスタ管の一端に前記基準部を揃えて配置された状態において、該アジャスタ管の延在方向に間隔を空けて複数個設けられており、
該アジャスタ管寸法出し部の外面には、少なくとも一部の目盛りに隣接して、当該目盛りが対応する距離Ｄを示す文字が記載されていることを特徴とする型紙。
【請求項３】
請求項１又は２において、前記アジャスタ管寸法出し部は帯状のものであり、その長手方向の一端が前記基準部となっており、該一端を前記アジャスタ管の前記一端に揃えて配置されるものであり、
該アジャスタ管寸法出し部の長側辺に沿って前記目盛りが設けられていることを特徴とする型紙。
【請求項４】
請求項３において、該型紙は、洋風便器の機種に応じて複数個の前記アジャスタ管寸法出し部を備えていることを特徴とする型紙。
【請求項５】
請求項３において、前記アジャスタ管寸法出し部の前記一端側に、洋風便器の機種に応じて該アジャスタ管寸法出し部の長さを調節するための目印線が設けられていることを特徴とする型紙。
【請求項６】
請求項１ないし５のいずれか１項において、該型紙は、さらに、洋風便器をトイレルームの床面に固定するための便器固定部材の位置決めを行うための便器固定部材位置決め部を備えていることを特徴とする型紙。
【請求項７】
請求項６において、前記便器固定部材位置決め部は、トイレルームの床面の洋風便器設置予定位置に展延されるものであり、
該便器固定部材位置決め部は、トイレルームの床面に据え付けられた前記排水器具を受け入れ可能な透孔を有しており、
便器固定部材位置決め部は、該透孔の後縁を該排水器具の前記排水ソケットの後縁に揃えて配置されるように構成されており、
該便器固定部材位置決め部の前端部に、前記便器固定部材をトイレルームの床面に固定するためのビス位置を示す罫書き孔が設けられていることを特徴とする型紙。
【請求項８】
請求項６又は７において、前記アジャスタ管寸法出し部と前記便器固定部材位置決め部とは、分離可能に連結されていることを特徴とする型紙。
【請求項９】
請求項８において、前記アジャスタ管寸法出し部と前記便器固定部材位置決め部との間には、両者を分離させるための切り取り線が設けられていることを特徴とする型紙。
【請求項１０】
トイレルームの床面の排水管と洋風便器の排水口の位置がずれる場合に、
該排水口が接続される便器排水口接続口を有した排水ソケットと、
該排水管に接続される排水管接続口を有したエルボ体と、
該排水ソケットとエルボ体とを接続する横引きのアジャスタ管と
を有する排水器具によって該排水管と排水口とを接続した後、該洋風便器の据え付けを行うようにした便器施工方法において、
トイレルームの壁面から前記排水管の軸心までの距離Ｄを測定する工程と、
請求項１ないし９のいずれか１項に記載の型紙の前記アジャスタ管寸法出し部を、前記基準部を該アジャスタ管の一端に揃えて配置し、該距離Ｄに対応した前記目盛りの位置において該アジャスタ管の他端側を切断する工程と、
該アジャスタ管により前記排水ソケットとエルボ体とを接続して前記排水器具を組み立てる工程と、
該エルボ体の前記排水管接続口を前記排水管に接続して該排水器具をトイレルームの床面上に設置する工程と、
洋風便器を、その排水口を該排水ソケットの前記便器排水口接続口に接続させつつトイレルームの床面上に据え付ける工程と
を行うことを特徴とする便器施工方法。
【発明の詳細な説明】
【技術分野】
【０００１】
本発明は、トイレルーム床面の既設排水管と、据え付けようとする洋風便器の排水口の位置とがずれる場合に、該排水管と排水口とを排水器具で接続するようにした便器施工方法と、そのための型紙に関する。詳しくは、この排水器具の横引きアジャスタ管の長さ調節のための寸法出しを行うための型紙と、この型紙を用いた便器施工方法に関する。
【背景技術】
【０００２】
トイレのリフォームを行うに際し、古い便器を新しい洋風便器に付け替える場合、既設の排水管と新しい洋風便器の排水口とがずれることが多い。この場合、横引きアジャスタ管を有した排水器具をトイレルーム床面に設置して洋風便器の排水口と排水管とを導通する。このアジャスタ管の軸心線方向の一端側には、洋風便器の排水口が上方から接続される便器排水口接続口を有した排水ソケットが設けられ、他端側には、既設排水管に上方から接続される排水管接続口を有したエルボ体が設けられている。
【０００３】
この工法においては、現場ごとに既設排水管の位置が異なることから、新たに据え付けられる洋風便器の排水口から既設排水管までの距離に合わせてアジャスタ管の長さを調節する必要がある。アジャスタ管は、種々の現場に対応できるように十分に長いものとなっており、現場寸法に合わせて丁度良い長さに切断される。
【０００４】
一般的に、洋風便器の後方のトイレルーム壁面と該洋風便器の後面との間にどの程度の隙間を空けるかは、洋風便器の機種（例えば壁給水式であるか床給水式であるかなど）によって予め決まっている。従って、既設排水管と洋風便器の排水口とを導通するように排水器具をトイレルーム床面に設置した状態における該トイレルーム壁面から排水ソケットの便器排水口接続口の軸心までの距離Ａ１は、洋風便器の機種と各部の設計値（洋風便器の後面から便器排水口の軸心までの距離や、この便器排水口と排水ソケットとを接続したジョイント部の形状及び寸法等）を基に求めることができる。また、排水ソケットの便器排水口接続口の軸心から、この排水ソケットに接続されたアジャスタ管の前記一端までの距離Ａ２は、排水器具の設計値から求めることができる。これらの距離Ａ１，Ａ２の和Ａが、既設排水管と洋風便器の排水口とを導通するように排水器具をトイレルーム床面に設置した状態における該トイレルーム壁面からアジャスタ管の前記一端までの距離となる。さらに、エルボ体の排水管接続口の軸心から、このエルボ体に接続されたアジャスタ管の前記他端までの距離Ｂも、排水器具の設計値から求めることができる。通常、エルボ体の排水管接続口は、既設排水管に対し同軸状に接続される。
【０００５】
よって、排水器具が洋風便器の排水口と既設排水管とを導通した状態におけるアジャスタ管の長さＬは、洋風便器の後方のトイレルーム壁面から既設排水管の軸心までの距離Ｄから、該トイレルーム壁面から該アジャスタ管の前記一端までの距離Ａと、アジャスタ管の前記他端からエルボ体の排水管接続口の軸心までの距離Ｂとの合計を引いた値（Ｌ＝Ｄ−（Ａ＋Ｂ））となる。即ち、アジャスタ管の長さＬは、洋風便器の後方のトイレルーム壁面から既設排水管の軸心までの距離Ｄに応じて一次関数的に変化する。
【０００６】
ＷＯ９５／２７８３３には、アジャスタ管の表面に、この洋風便器の後方のトイレルーム壁面から既設排水管の軸心までの距離Ｄに対応した切断位置を示す目盛りを設けておくことが記載されている。同号公報では、アジャスタ管の長さ調節を行う場合、現場でトイレルームの壁面から既設排水管の軸心までの距離Ｄを測定し、この測定値に対応する目盛りの位置でアジャスタ管を切断する。これにより、アジャスタ管を容易に、現場寸法に合わせて丁度良い長さに切断することができる。
【先行技術文献】
【特許文献】
【０００７】
【特許文献１】ＷＯ９５／２７８３３
【発明の概要】
【発明が解決しようとする課題】
【０００８】
前述の通り、洋風便器の後方のトイレルーム壁面と該洋風便器の後面との間にどの程度の隙間を空けるかは、洋風便器の機種によって異なる。従って、仮にトイレルームの壁面から既設排水管の軸心までの距離Ｄの測定値が同一であっても、洋風便器の機種によってアジャスタ管の丁度良い長さが異なる。そのため、上記ＷＯ９５／２７８３３にあっては、洋風便器の機種に応じて、専用の目盛りが設けられたアジャスタ管を用意する必要があり、資材コストが嵩む。
【０００９】
本発明は、洋風便器の機種によらず、汎用品のアジャスタ管を用いることができ、且つ容易にアジャスタ管の寸法出しを行うことができる型紙と、この型紙を用いた便器施工方法とを提供することを目的とする。
【課題を解決するための手段】
【００１０】
本発明（請求項１）の型紙は、トイレルームの床面の排水管と洋風便器の排水口との位置がずれる場合に、該排水口が接続される便器排水口接続口を有した排水ソケットと、該排水管に接続される排水管接続口を有したエルボ体と、該排水ソケットとエルボ体とを接続する横引きのアジャスタ管とを有する排水器具によって該排水管と排水口とを接続する便器施工に用いられる型紙であって、該アジャスタ管の長さ調節のための寸法出しを行うためのアジャスタ管寸法出し部を備えた型紙において、該アジャスタ管寸法出し部は、該アジャスタ管の一端に揃えられる基準部と、該アジャスタ管寸法出し部が該アジャスタ管の該一端に該基準部を揃えて配置された状態において、トイレルームの壁面から前記排水管の軸心までの距離Ｄに対応した該アジャスタ管の他端側の切断位置を示す目盛りとを有していることを特徴とするものである。
【００１１】
請求項２の型紙は、請求項１において、前記目盛りは、前記アジャスタ管寸法出し部が前記アジャスタ管の一端に前記基準部を揃えて配置された状態において、該アジャスタ管の延在方向に間隔を空けて複数個設けられており、該アジャスタ管寸法出し部の外面には、少なくとも一部の目盛りに隣接して、当該目盛りが対応する距離Ｄを示す文字が記載されていることを特徴とするものである。
【００１２】
請求項３の型紙は、請求項１又は２において、前記アジャスタ管寸法出し部は帯状のものであり、その長手方向の一端が前記基準部となっており、該一端を前記アジャスタ管の前記一端に揃えて配置されるものであり、該アジャスタ管寸法出し部の長側辺に沿って前記目盛りが設けられていることを特徴とするものである。
【００１３】
請求項４の型紙は、請求項３において、該型紙は、洋風便器の機種に応じて複数個の前記アジャスタ管寸法出し部を備えていることを特徴とするものである。
【００１４】
請求項５の型紙は、請求項３において、前記アジャスタ管寸法出し部の前記一端側に、洋風便器の機種に応じて該アジャスタ管寸法出し部の長さを調節するための目印線が設けられていることを特徴とするものである。
【００１５】
請求項６の型紙は、請求項１ないし５のいずれか１項において、該型紙は、さらに、洋風便器をトイレルームの床面に固定するための便器固定部材の位置決めを行うための便器固定部材位置決め部を備えていることを特徴とするものである。
【００１６】
請求項７の型紙は、請求項６において、前記便器固定部材位置決め部は、トイレルームの床面の洋風便器設置予定位置に展延されるものであり、該便器固定部材位置決め部は、トイレルームの床面に据え付けられた前記排水器具を受け入れ可能な透孔を有しており、便器固定部材位置決め部は、該透孔の後縁を該排水器具の前記排水ソケットの後縁に揃えて配置されるように構成されており、該便器固定部材位置決め部の前端部に、前記便器固定部材をトイレルームの床面に固定するためのビス位置を示す罫書き孔が設けられていることを特徴とするものである。
【００１７】
請求項８の型紙は、請求項６又は７において、前記アジャスタ管寸法出し部と前記便器固定部材位置決め部とは、分離可能に連結されていることを特徴とするものである。
【００１８】
請求項９の型紙は、請求項８において、前記アジャスタ管寸法出し部と前記便器固定部材位置決め部との間には、両者を分離させるための切り取り線が設けられていることを特徴とするものである。
【００１９】
本発明（請求項１０）の便器施工方法は、トイレルームの床面の排水管と洋風便器の排水口の位置がずれる場合に、該排水口が接続される便器排水口接続口を有した排水ソケットと、該排水管に接続される排水管接続口を有したエルボ体と、該排水ソケットとエルボ体とを接続する横引きのアジャスタ管とを有する排水器具によって該排水管と排水口とを接続した後、該洋風便器の据え付けを行うようにした便器施工方法において、トイレルームの壁面から前記排水管の軸心までの距離Ｄを測定する工程と、請求項１ないし９のいずれか１項に記載の型紙の前記アジャスタ管寸法出し部を、前記基準部を該アジャスタ管の一端に揃えて配置し、該距離Ｄに対応した前記目盛りの位置において該アジャスタ管の他端側を切断する工程と、該アジャスタ管により前記排水ソケットとエルボ体とを接続して前記排水器具を組み立てる工程と、該エルボ体の前記排水管接続口を前記排水管に接続して該排水器具をトイレルームの床面上に設置する工程と、洋風便器を、その排水口を該排水ソケットの前記便器排水口接続口に接続させつつトイレルームの床面上に据え付ける工程とを行うことを特徴とするものである。
【発明の効果】
【００２０】
本発明の型紙及び便器施工方法にあっては、施工現場でトイレルームの壁面からトイレルームの床面の排水管の軸心までの距離Ｄを測定する。そして、型紙のアジャスタ管寸法出し部を、その基準部をアジャスタ管の一端に揃えて配置し、この距離Ｄの測定値に対応した目盛りの位置においてアジャスタ管の他端側を切断する。これにより、アジャスタ管を容易に、現場寸法に合わせて丁度良い長さとすることができる。本発明においては、型紙のアジャスタ管寸法出し部に、この距離Ｄに対応したアジャスタ管の切断位置を示す目盛りが設けられているので、アジャスタ管の表面にこのような目盛りを設けることは不要である。これにより、洋風便器の機種によらず、アジャスタ管として汎用品を用いることが可能であり、洋風便器の機種に対応した専用のアジャスタ管を用意することが不要となるため、資材コストを低く抑えることができる。
【００２１】
請求項２の型紙にあっては、アジャスタ管寸法出し部の外面には、少なくとも一部の目盛りに隣接して、当該目盛りが対応する距離Ｄを示す文字が記載されている。この数字から、現場で測定した距離Ｄに対応する目盛りを容易に読み取ることが可能である。
【００２２】
請求項３の型紙にあっては、アジャスタ管寸法出し部は帯状のものであり、このアジャスタ管寸法出し部の長手方向の一端をアジャスタ管の一端に揃えて配置し、その長側辺に沿って設けられた目盛りを読んでアジャスタ管の寸法出しを行う。このように、アジャスタ管寸法出し部を物差しのように用いてアジャスタ管の寸法出しを行うことができるため、アジャスタ管寸法出し部の取り扱いが容易であり、アジャスタ管の寸法出しを容易に行うことができる。
【００２３】
請求項４の型紙にあっては、型紙は、洋風便器の機種に応じて複数個のアジャスタ管寸法出し部を備えているので、適宜、新たに設置される洋風便器の機種に対応したアジャスタ管寸法出し部を用いることにより、１個の型紙で複数の機種の洋風便器に対応したアジャスタ管の寸法出しを行うことが可能である。
【００２４】
請求項５の型紙にあっては、アジャスタ管寸法出し部の一端側に、洋風便器の機種に応じて該アジャスタ管寸法出し部の長さを調節するための目印線が設けられている。このアジャスタ管寸法出し部を用いてアジャスタ管の寸法出しを行う場合、洋風便器の機種に応じて、アジャスタ管寸法出し部の長さを変更せずに該アジャスタ管寸法出し部の一端をアジャスタ管の一端に揃えるか、あるいは、アジャスタ管寸法出し部の一端側を目印線に沿って切断したり折り曲げたりして該アジャスタ管寸法出し部の長さを変更してからアジャスタ管の一端に揃え、寸法出しを行う。このようにして適宜、新たに設置される洋風便器の機種に対応するようにアジャスタ管寸法出し部の長さを調節することにより、１個の型紙で複数の機種の洋風便器に対応したアジャスタ管の寸法出しを行うことが可能である。
【００２５】
この場合、アジャスタ管寸法出し部の一端側に、洋風便器の機種に応じて複数個の目印線を設けることにより、１個の型紙により対応可能な洋風便器の機種を増やすことが可能である。
【００２６】
請求項６の型紙にあっては、アジャスタ管寸法出し部によってアジャスタ管の寸法出しを行うだけでなく、便器固定部材位置決め部により、洋風便器をトイレルームの床面に固定するための便器固定部材の位置決めを行うことも可能である。
【００２７】
請求項７の型紙にあっては、この便器固定部材位置決め部をトイレルームの床面に展延させる場合には、トイレルームの床面に据え付けられた排水器具をこの便器固定部材位置決め部の透孔に入り込ませ、この透孔の後縁を該排水器具の排水ソケットの後縁に揃えて配置する。これにより、便器固定部材位置決め部の位置決めが行われる。その後、この便器固定部材位置決め部の前端部の罫書き孔を介して、便器固定部材を固定するためのビス位置をトイレルームの床面に罫書き、この位置にビス打ちして便器固定部材をトイレルームの床面に固定する。この便器固定部材位置決め部は、トイレルームの床面に据え付けられた排水器具を用いて位置決めが行われているため、この便器固定部材位置決め部による便器固定部材の位置決めも精度良く行うことができる。
【００２８】
請求項８の型紙にあっては、アジャスタ管寸法出し部と便器固定部材位置決め部とが分離可能となっているので、アジャスタ管の寸法出し作業時に便器固定部材位置決め部が邪魔になることがなく、また便器固定部材の位置決め作業時にアジャスタ管寸法出し部が邪魔になることもないので、アジャスタ管の寸法出し作業と便器固定部材の位置決め作業とを効率良く行うことができる。
【００２９】
請求項９の型紙にあっては、アジャスタ管寸法出し部と前記便器固定部材位置決め部との間には、両者を分離させるための切り取り線が設けられているので、アジャスタ管寸法出し部と便器固定部材位置決め部とを容易に分離させることができる。
【図面の簡単な説明】
【００３０】
【図１】実施の形態に係る型紙の平面図である。
【図２】図１の型紙の分解斜視図である。
【図３】図１の型紙を用いて組み立てられてトイレルーム床面に設置された排水器具の縦断面図である。
【図４】便器施工方法の説明図である。
【図５】便器施工方法の説明図である。
【図６】便器施工方法の説明図である。
【図７】便器施工方法の説明図である。
【図８】便器施工方法の説明図である。
【図９】便器施工方法の説明図である。
【図１０】別の実施の形態に係る型紙のアジャスタ管寸法出し部の平面図である。
【発明を実施するための形態】
【００３１】
以下に、図面を参照して実施の形態について説明する。
【００３２】
第１図は実施の形態に係る型紙の平面図である。第２図は、この型紙のアジャスタ管寸法出し部と便器固定部材位置決め部との分解斜視図である。第３図は、この型紙を用いて組み立てられてトイレルーム床面に設置された排水器具の縦断面図であり、第５図（ｂ）と同様の断面を示している。なお、第３図においては、排水ソケットの便器排水口接続口に取り付けられるゴムジョイントの図示が省略されている。第４図〜第９図は便器施工方法の説明図である。第４図は、洋風便器の後方のトイレルーム壁面から既設排水管の軸心までの距離を測定する工程を示す斜視図である。第５図は、アジャスタ管の寸法出しを行う工程を示しており、第５図（ａ）はアジャスタ管と型紙のアジャスタ管寸法出し部との斜視図であり、第５図（ｂ）はアジャスタ管の上面にアジャスタ管寸法出し部を重ねた状態における該アジャスタ管の縦断面図（第５図（ｃ）のＢ−Ｂ線断面図）であり、第５図（ｃ）は、第５図（ｂ）と同様状態における平面図である。第６図はアジャスタ管をエルボ体に接続する工程を示す斜視図である。第７図は、組み上がった排水器具をトイレルーム床面に設置する工程を示す斜視図である。第８図は、便器固定部材をトイレルーム床面に設置する工程を示しており、第８図（ａ）は排水器具及び便器固定部材の斜視図であり、第８図（ｂ）は第８図（ａ）のＢ付近の平面図である。第９図は、洋風便器をトイレルーム床面に設置する工程を示しており、第９図（ａ）は洋風便器の部分透視斜視図であり、第９図（ｂ）は便器固定部材の分解斜視図である。
【００３３】
以下、前後方向、左右方向及び上下方向は、新たに据え付けられた洋風便器に着座した者にとっての前後方向、左右方向及び上下方向と一致する。
【００３４】
第４図の通り、トイレルームの床面Ｆに既設の排水管１が設けられており、該排水管１の上端に既設のフランジ２が固着されている。このフランジ２から排水器具接続用のボルト３が立設されている。
【００３５】
第９図（ａ）の通り、新しく据え付けられる洋風便器１０は、台座スカート部１１内の後部に下向きに排水口１２が設けられている。洋風便器１０の前部には便鉢１３が設けられており、トラップ（図示略）を介して該排水口１２に連通している。洋風便器１０の後部上面にはロータンク設置部１４が設けられている。
【００３６】
この実施の形態では、第９図（ａ）の通り、洋風便器１０は、その後端側がビス３３によりトイレルーム床面Ｆに固定され、前端側が便器固定部材７０によってトイレルーム床面Ｆに固定される。
【００３７】
この実施の形態では、該便器固定部材７０は、第９図（ｂ）の通り、トイレルーム床面Ｆに取り付けられる床側部材７１と、洋風便器１０に取り付けられる便器側部材７２と、該床側部材７１と便器側部材７２とを結合する結合部材７３とを備えている。該便器側部材７２は、洋風便器１０の台座スカート部１１の前端部内周面に接着やビス留め等の結合手段により結合されている。床側部材７１は、後述の型紙４０の便器固定部材位置決め部５０により、該便器側部材７２の真下に位置するように配置され、ビス７４によってトイレルーム床面Ｆに固定される。なお、床側部材７１のトイレルーム床面Ｆへの固定方法はこれに限定されない。結合部材７３は、例えばブチルゴム等の粘着材料又は接着材料により構成されており、トイレルーム床面７１に取り付けられた床側部材７１の上面と、洋風便器１０に取り付けられた便器側部材７２の下面との間に配置され、これらを結合する。
【００３８】
なお、洋風便器１０をトイレルーム床面Ｆに固定するための便器固定部材７０の構成はこれに限定されない。
【００３９】
第３図の通り、この既設排水管１と便器排水口１２とを導通するための排水器具２０は、便器排水口１２が上方から接続される排水ソケット２１と、既設排水管１に上方から接続されるエルボ体２２と、該排水ソケット２１とエルボ体２２とを接続する横引きのアジャスタ管２３とを有している。
【００４０】
排水ソケット２１は、トイレルーム床面Ｆ上に重なるベースプレート２４と、該ベースプレート２４から立ち上がる筒部２５と、該筒部２５の上端に形成された便器排水口接続口２６とを備えている。便器排水口接続口２６には、この便器排水口接続口２６と便器排水口１２とを水密に接続するためのゴムジョイント２７が取り付けられている。筒部２５の上端部には、このゴムジョイント２７の下端が係合するフランジ部２５ａが設けられている。このフランジ部２５ａは、便器排水口接続口２６の周縁部を拡径させるようにして形成されている。ベースプレート２４の上面には、該ベースプレート２４の左右方向の中間位置を示す中間表示部２４ａ（第８図（ｂ））が設けられている。ベースプレート２４の左右両端側には、前記ビス３３が挿通されるビス挿通孔２４ｂが設けられている。
【００４１】
筒部２５の下端側の前面に、アジャスタ管２３の軸心線方向の一端（後端）が連なっている。この実施の形態では、第３図の通り、アジャスタ管２３は、排水ソケット２１と一体に構成されている。なお、アジャスタ管２３を排水ソケット２１と別体に構成してもよい。この場合、排水ソケット２１の下端側の前面にアジャスタ管接続口を設け、このアジャスタ管接続口にアジャスタ管２３の後端を差し込むようにしてアジャスタ管２３を排水ソケット２１に接続するようにしてもよい。なお、この場合、後述の型紙４０のアジャスタ管寸法出し部４１を用いてアジャスタ管２３の寸法出しを行う場合には、単品状態（両端に排水ソケット２１及びエルボ体２２が接続されていない状態）のアジャスタ管２３の一端（好ましくは排水ソケット２１側の端部）にアジャスタ管寸法出し部４１の後端４１ａを揃えて寸法出しを行う。
【００４２】
この実施の形態では、アジャスタ管２３は、排水ソケット２１から前方へ向かって略水平に一直線状に延在している。切断前のアジャスタ管２３の軸心線方向の全長は、種々の現場に対応できるように十分に長いものとなっている。
【００４３】
この実施の形態では、アジャスタ管２３は、その軸心線方向と直交方向の断面形状が横長の略楕円形状となっている。なお、アジャスタ管２３の断面形状はこれに限定されない。第５図（ｂ）の通り、アジャスタ管２３は、前記フランジ部２５ａから下方に離隔して配置されており、このアジャスタ管２３の上面とフランジ部２５ａの下面との間には、後述の型紙４０のアジャスタ管寸法出し部４１を差し込むのに十分な間隔が空いている。このアジャスタ管２３とフランジ部２５ａとの間の筒部２５の前面は、該アジャスタ管２３の軸心線方向と略直交方向に延在した平坦面となっている。この実施の形態では、便器排水口接続口２６からこの筒部２５のアジャスタ管２３よりも上側の前面（平坦面）までの距離と、該便器排水口接続口２６からアジャスタ管２３の後端までの距離とが等距離となっている。
【００４４】
エルボ体２２は、既設フランジ部２に上方から係合する取付プレート２８と、該取付プレート２８を上下方向に貫通した筒部２９とを備えている。筒部２９の取付プレート２８よりも上側の部分は後方へ向かって曲成されており、その後端に、アジャスタ管２３の軸心線方向の他端（前端）が差し込まれるアジャスタ管接続口３０が形成されている。第３図の通り、筒部２９の後端側の内周面には、該アジャスタ管接続口３０に差し込まれたアジャスタ管２３の前端が当接する段部２９ａが形成されている。
【００４５】
筒部２９の下端側は、取付プレート２８の下面から下方に延出しており、この筒部２９の下端に排水管接続口３１（第３図）が形成されている。この排水管接続口３１が既設フランジ２の内孔（即ち排水管１の上端側）に同軸状に係合する。取付プレート２８には、既設フランジ２のボルト３が挿通されるボルト挿通孔２８ａが設けられている。このボルト挿通孔２８ａは、排水管接続口３１の軸心を曲率中心として円弧状に湾曲した長孔状となっており、エルボ体２２は、このボルト挿通孔２８ａに沿って回動可能に既設フランジ２に係合する。
【００４６】
この実施の形態では、洋風便器１０の施工に用いられる型紙４０は、アジャスタ管２３の寸法出しを行うためのアジャスタ管寸法出し部４１（４１Ａ，４１Ｂ，４１Ｃ）と、便器固定部材７０の位置決め行うための便器固定部材位置決め部５０とを有している。この型紙４０は、薄いシート状のものである。この型紙４０を構成するシート状材料としては、例えば紙、合成樹脂などが挙げられるが、これに限定されない。この型紙４０は、後述のようにアジャスタ管２３の寸法出しに際して排水ソケット２１の筒部２５の前面に突き当てられたときに、容易には折れ曲がらない程度の剛性を有していることが好ましい。この型紙４０の厚さは０．２〜０．８ｍｍであることが好ましい。実施に際しては、例えば０．３ｍｍの厚紙を使用して型紙４０を構成する（ただし、型紙４０の厚さ及び材料はこれに限定されない。）。この型紙４０は、アジャスタ管２３とは別体に構成されている。
【００４７】
この実施の形態では、型紙４０は、３種類の機種の洋風便器１０にそれぞれ対応する３種類のアジャスタ管寸法出し部４１Ａ，４１Ｂ，４１Ｃを備えている。なお、型紙４０に設けられるアジャスタ管寸法出し部４１の種類は３種類に限定されるものではなく、１種類、２種類又は４種類以上のアジャスタ管寸法出し部４１が設けられてもよい。
【００４８】
前述の通り、一般的に、洋風便器１０の後方のトイレルーム壁面Ｗと該洋風便器１０の後面との間にどの程度の隙間を空けるかは、洋風便器１０の機種によって予め決まっている。従って、既設排水管１と洋風便器１０の排水口１２とを導通するように排水器具２０をトイレルーム床面Ｆに設置した状態における該トイレルーム壁面Ｗから排水ソケット２１の便器排水口接続口２６の軸心までの距離Ａ１（第３図）は、洋風便器１０の機種と各部の設計値（洋風便器１０の後面から便器排水口１２の軸心までの距離や、この便器排水口１２と便器排水口接続口２６とを接続するゴムジョイント２７の形状及び寸法等）を基に求めることができる。また、排水ソケット２１の便器排水口接続口２６の軸心から、この排水ソケット２１に連なるアジャスタ管２３の後端までの距離Ａ２（第３図）は、排水器具２０の設計値から求めることができる。これらの距離Ａ１，Ａ２の和Ａ（第３図）が、既設排水管１と洋風便器１０の排水口１２とを導通するように排水器具２０をトイレルーム床面Ｆに設置した状態におけるトイレルーム壁面Ｗからアジャスタ管２３の後端までの距離となる。さらに、エルボ体２２の排水管接続口３１の軸心から、このエルボ体２２に接続されたアジャスタ管２３の前端（段部２９ａ）までの距離Ｂ（第３図）も、排水器具２０の設計値から求めることができる。
【００４９】
よって、第３図の通り、排水器具２０が洋風便器１０の排水口１２と既設排水管１とを導通した状態におけるアジャスタ管２３の長さＬは、洋風便器１０の後方のトイレルーム壁面Ｗからアジャスタ管２３の後端までの距離Ａと、アジャスタ管２３の前端からエルボ体２２の排水管接続口３１の軸心までの距離Ｂとの合計を引いた値（Ｌ＝Ｄ−（Ａ＋Ｂ））となる。即ち、アジャスタ管２３の長さＬは、洋風便器１０の後方のトイレルーム壁面Ｗから既設排水管１の軸心までの距離Ｄに応じて一次関数的に変化する。
【００５０】
第２図及び第５図（ａ）〜（ｃ）の通り、各アジャスタ管寸法出し部４１は、細長い帯状となっている。この実施の形態では、各アジャスタ管寸法出し部４１の長手方向の一端（後端）４１ａが、アジャスタ管２３の後端を揃えるための基準部となっている。第１図及び第２図の通り、各アジャスタ管寸法出し部４１の上面には、各々の両長側辺に沿って、洋風便器１０の後方のトイレルーム壁面Ｗから既設排水管１の軸心までの距離Ｄに対応したアジャスタ管切断位置を示す目盛り４２が設けられている。この実施の形態では、例えば、洋風便器１０の後方のトイレルーム壁面Ｗから既設排水管１の軸心までの距離Ｄが４５０ｍｍである場合には、各アジャスタ管寸法出し部４１の後端４１ａから４５０−（Ａ＋Ｂ）ｍｍに位置する目盛り４２が、アジャスタ管２３が丁度良い長さとなる切断位置を示している。第１図及び第２図の矢印４３は、各アジャスタ管寸法出し部４１の後端４１ａ即ち基準部を示している。この実施の形態では、代表的な目盛り４２には、それらが対応する距離Ｄを示す数字が記載されており、これらの数字から、現場で測定した距離Ｄに対応する目盛り４２を読み取る。
【００５１】
詳しくは、この実施の形態では、各アジャスタ管寸法出し部４１には、各々の両長側辺に沿って１ｍｍおきに目盛り４２が設けられている。各アジャスタ管寸法出し部４１の最後端の目盛り４２は、各機種の洋風便器１０における距離Ｄの下限値に対応しており、この目盛り４２には、距離Ｄの下限値を示す数字（この実施の形態では、アジャスタ管寸法出し部４１Ａにおいては「２００」、アジャスタ管寸法出し部４１Ｂにおいては「２３５」、アジャスタ管寸法出し部４１Ｃにおいては「２１０」との数字）が記載されている。また、各アジャスタ管寸法出し部４１には、距離Ｄが３００ｍｍである場合、４００ｍｍである場合、５００ｍｍである場合に対応する各目盛り４２に、それぞれ、これらが対応する距離Ｄを示す数字が記載されている。この実施の形態では、距離Ａ＋Ｂ＋Ｌの上限値は、洋風便器１０の機種によらず一定となっており、各アジャスタ管寸法出し部４１の最前端の目盛り４２は、この距離Ａ＋Ｂ＋Ｌが上限値となるときの長さＬに対応するものとなっている。なお、目盛り４２の記載方法や、各目盛り４２が対応する距離Ｄを示す数字の記載方法などは、これに限定されない。この実施の形態では、第１図の通り、アジャスタ管寸法出し部４１Ａ，４１Ｂ，４１Ｃは、全て同一長さとなっているが、それぞれ長さが異なっていてもよい。
【００５２】
このアジャスタ管寸法出し部４１を用いてアジャスタ管２３の寸法出しを行う場合には、このアジャスタ管寸法出し部４１の長手方向をアジャスタ管２３の軸心線方向と平行方向とし、且つアジャスタ管寸法出し部４１の後端４１ａをアジャスタ管２３の後端に揃えて、アジャスタ管寸法出し部４１をアジャスタ管２３の外面に重ねる。この実施の形態では、排水ソケット２１の便器排水口接続口２６から筒部２５のアジャスタ管２３よりも上側の前面（平坦面）までの距離と、該便器排水口接続口２６からアジャスタ管２３の後端までの距離とが等距離となっているので、第５図（ｂ）の通り、このアジャスタ管寸法出し部４１をアジャスタ管２３の上面に重ねて該アジャスタ管寸法出し部４１の後端４１ａを排水ソケット２１の筒部２５の前面に突き当てることにより、このアジャスタ管寸法出し部４１の後端４１ａを容易にアジャスタ管２３の後端に揃えることができる。次に、第５図（ｃ）の通り、現場で測定したトイレルーム壁面Ｗから既設排水管１の軸心までの距離Ｄに対応する目盛り４２を読み取り、この目盛り４２に合わせて切断予定線４４をアジャスタ管２３に罫書く。その後、この切断予定線４４に沿ってアジャスタ管２３を切断することにより、アジャスタ管２３を現場寸法に合わせて丁度良い長さＬとすることができる。
【００５３】
この実施の形態では、第１図の通り、前記便器固定部材位置決め部５０は、前後方向に長い略長方形の平面視形状となっている。この便器固定部材位置決め部５０の中央には、前後方向に延在した切り抜き部（透孔）５１が設けられている。この切り抜き部５１は、第８図（ａ）の通り、アジャスタ管寸法出し部４１によりアジャスタ管２３を寸法出しして切断した後、このアジャスタ管２３の前端側にエルボ体２２を接続して該エルボ体２２を既設フランジ２に装着した状態の排水器具２０（以下、この状態の排水器具２０を組み上がった状態の排水器具２０と呼ぶ。）の全体を入り込ませることが可能な大きさとなっている。便器固定部材７０の位置決め行う場合には、この切り抜き部５１の内側に、組み上がった状態の排水器具２０を入り込ませて便器固定部材位置決め部５０をトイレルーム床面Ｆ上に展延させる。
【００５４】
この実施の形態では、第８図（ｂ）の通り、切り抜き部５１の内側に入り込んだ排水ソケット２１のベースプレート２４の後縁に該切り抜き部５１の後縁５１ａを当接させるようにして便器固定部材位置決め部５０をトイレルーム床面Ｆ上に展延させる。これにより、便器固定部材位置決め部５０の前後方向の位置決めが行われる。便器固定部材位置決め部５０の後部上面には、この切り抜き部５１の後縁５１ａを排水ソケット２１のベースプレート２４の後縁に揃えるための指示線５２が設けられている。この指示線５２は、切り抜き部５１の後縁５１ａに沿って便器固定部材位置決め部５０の上面の左端及び右端から左右方向中間付近まで一直線状に延在している。便器固定部材位置決め部５０の後端部及び前端部の上面には、それぞれ、切り抜き部５１の左右方向の中間を示す中間表示線５３，５４が設けられている。この中間表示線５３を排水ソケット２１のベースプレート２４の中間表示部２４ａに揃えることにより、便器固定部材位置決め部５０の左右方向の位置決めが行われる。
【００５５】
第１図の通り、この便器固定部材位置決め部５０の前端部上面の左右方向の中間付近には、便器固定部材７０の床側部材７１の設置位置を示す固定部材設置位置表示部５５と、この固定部材設置位置において床側部材７１をトイレルーム床面Ｆに固定するためのビス７４の打ち込み位置を示す罫書き孔５６とが記載されている。
【００５６】
この実施の形態では、固定部材設置位置表示部５５の左右両側に、それぞれ、前後方向に延在する切り取り線５７が設けられている。固定部材設置位置表示部５５の左側の切り取り線５７の後端は、切り抜き部５１の前縁５１ｂと切り抜き部５１の左辺とが交わるコーナー部に連なっており、固定部材設置位置表示部５５の右側の切り取り線５７の後端は、切り抜き部５１の前縁５１ｂと切り抜き部５１の右辺とが交わるコーナー部に連なっている。即ち、各切り取り線５７は、切り抜き部５１の左右の側辺を前方に延長した延長線上に延設されている。各切り取り線５７の前端は、便器固定部材位置決め部５０の前端縁よりも後方に位置している。各切り取り線５７に沿って便器固定部材位置決め部５０を切断することにより、第８図（ａ）の通り、切り抜き部５１の前縁５１ｂ側をフラップ状に前方へ捲り返すことができるようになっている。
【００５７】
各切り取り線５７は、例えば作業者が手で各切り取り線５７に沿って便器固定部材位置決め部５０を切断することができるように、ミシン目等により容易に切断可能に構成されていてもよい。なお、各切り取り線５７の構成はこれに限定されるものではない。例えば、各切り取り線５７は、単に便器固定部材位置決め部５０の上面に線が引いてあるだけのものであってもよい。
【００５８】
この実施の形態では、切り抜き部５１の前縁５１ｂと便器固定部材位置決め部５０の前端縁との間に、左右方向に延在する折り線５８，５９が設けられている。この実施の形態では、前後方向に間隔を空けて２条の折り線５８，５９が設けられている。後側の折り線５８は、切り抜き部５１の前縁５１ｂと罫書き孔５６との間に設けられており、前側の折り線５９は、該罫書き孔５６と便器固定部材位置決め部５０の前端縁との間に設けられている。後側の折り線５８の左右両端は、それぞれ、各切り取り線５７の前後方向の途中部に連なっており、前側の折り線５９の左右両端は、各切り取り線５７の前端に連なっている。
【００５９】
各折り線５８，５９は、切り抜き部５１の前縁５１ｂ側をこれらに沿って容易に折り返すことができるように、各切り取り線５７よりも破断強度が大きい（切り込み長さや深さが小さい）ミシン目や、便器固定部材位置決め部５０の上面又は下面あるいは上下両面に設けられた浅溝等により構成されていてもよい。なお、各折り線５８，５９の構成はこれに限定されるものではない。例えば、各折り線５８，５９は、単に、便器固定部材位置決め部５０の上面に線が引いてあるだけのものであってもよい。
【００６０】
この実施の形態では、各アジャスタ管寸法出し部４１（４１Ａ，４１Ｂ，４１Ｃ）と、便器固定部材位置決め部５０とは、１枚のシートにより一体に形成されている。
【００６１】
この実施の形態では、第１図の通り、便器固定部材位置決め部５０の切り抜き部５１の内側に各アジャスタ管寸法出し部４１が配置されている。各アジャスタ管寸法出し部４１は、それぞれ、長手方向を前後方向とし、且つ各々の長手方向の両端同士を揃えて配置されている。切り抜き部５１内において、アジャスタ管寸法出し部４１Ａが該切り抜き部５１の左辺に沿って配置され、アジャスタ管寸法出し部４１Ｂがその右側に配置され、アジャスタ管寸法出し部４１Ｃがさらにその右側に配置されている。左側のアジャスタ管寸法出し部４１Ａの左側の長側辺が切り抜き部５１の左辺に連なり、このアジャスタ管寸法出し部４１Ａの右側の長側辺に中央のアジャスタ管寸法出し部４１Ｂの左側の長側辺が連なり、このアジャスタ管寸法出し部４１Ｂの右側の長側辺に右側のアジャスタ管寸法出し部４１Ｃの左側の長側辺が連なっている。この実施の形態では、右側のアジャスタ管寸法出し部４１Ｃと切り抜き部５１の右辺との間には余白部４５が設けられており、このアジャスタ管寸法出し部４１Ｃの右側の長側辺に余白部４５の左端が連なり、この余白部４５の右端が切り抜き部５１の右辺に連なっている。各アジャスタ管寸法出し部４１及び余白部４５の前後両端は、それぞれ、切り抜き部５１の後縁５１ａ及び前縁５１ｂから離隔している。なお、各アジャスタ管寸法出し部４１の配置はこれに限定されない。
【００６２】
切り抜き部５１の左辺とアジャスタ管寸法出し部４１Ａとの間、アジャスタ管寸法出し部４１Ａ，４１Ｂ同士の間、アジャスタ管寸法出し部４１Ｂ，４１Ｃ同士の間、アジャスタ管寸法出し部４１Ｃと余白部４５との間、並びに余白部４５と切り抜き部５１の右辺との間には、それぞれ、これらを第２図のように分離させるための切り取り線６０，６１，６２，６３，６４（第１図）が設けられている。各切り取り線６０〜６４は、例えば作業者が手で各切り取り線６０〜６４に沿って便器固定部材位置決め部５０と各アジャスタ管寸法出し部４１Ａ，４１Ｂ，４１Ｃと余白部４５とを切り離すことができるように、ミシン目等により容易に切断可能に構成されていてもよい。なお、切り取り線６０〜６４の構成はこれに限定されるものではない。例えば、各切り取り線６０〜６４は、単に型紙４０の上面に線が引いてあるだけのものであってもよい。
【００６３】
このように構成された型紙４０を用いた洋風便器１０の設置施工手順について次に説明する。
【００６４】
まず、第２図のように、便器固定部材位置決め部５０から各アジャスタ管寸法出し部４１Ａ，４１Ｂ，４１Ｃ及び余白部４５を各切り取り線６０，６４に沿って切り離すと共に、これらのアジャスタ管寸法出し部４１Ａ，４１Ｂ，４１Ｃ同士と余白部４５とを各切り取り線６１〜６３に沿って切り離す。
【００６５】
次に、第４図の通り、施工現場の洋風便器１０の後方のトイレルーム壁面Ｗから既設排水管１の軸心までの距離Ｄを測定する。そして、この距離Ｄの測定値に基き、アジャスタ管寸法出し部４１Ａ，４１Ｂ，４１Ｃのうち、これから設置される洋風便器１０の機種に対応したアジャスタ管寸法出し部４１を用いてアジャスタ管２３の寸法出しを行う。即ち、この実施の形態では、前述の通り、このアジャスタ管寸法出し部４１の長手方向をアジャスタ管２３の軸心線方向と平行方向として該アジャスタ管寸法出し部４１をアジャスタ管２３の上面に重ね合わせ、このアジャスタ管寸法出し部４１の後端４１ａを排水ソケット２１の筒部２５の前面に突き当てる（第５図（ｂ））。そして、距離Ｄの測定値に対応する目盛り４２を読み取り、この目盛り４２に合わせて切断予定線４４をアジャスタ管２３に罫書く（第５図（ｃ））。その後、この切断予定線４４に沿ってアジャスタ管２３を切断する。これにより、アジャスタ管２３の長さＬは、この現場において丁度良い寸法となる。
【００６６】
次に、６図の通り、このアジャスタ管２３の前端側に接着剤３２を塗り、このアジャスタ管２３の前端側をエルボ体２２のアジャスタ管接続口３０に差し込む。これにより、排水ソケット２１、アジャスタ管２３及びエルボ体２２が一体となった排水器具２０が組み上がる。
【００６７】
次に、エルボ体２２の筒部２９の下端にガスケット２９ｂ（第３，７図）を装着し、このエルボ体２２を既設フランジ２に被装して排水器具２０をトイレルーム床面Ｆ上に仮置きし、排水ソケット２１のベースプレート２４の各ビス挿通孔２４ｂの位置をトイレルーム床面Ｆに罫書き、この位置にビス３３を打ち込むための下穴を開ける。その後、第７図の通り、ワッシャ３４及び各ビス挿通孔２４ｂを介してこの下穴にビス３３を打ち込み、排水ソケット２１のベースプレート２４をトイレルーム床面Ｆに固定する。また、エルボ体２２のボルト挿通孔２８ａに挿通された既設フランジ２のボルト３にワッシャ３６を介してナット３６を締め付け、エルボ体２２を既設フランジ２に固定する。
【００６８】
次に、第８図（ａ）の通り、便器固定部材位置決め部５０を、切り抜き部５１の内側に排水器具２０を入り込ませてトイレルーム床面Ｆ上に平たく広げる。そして、第８図（ｂ）の通り、便器固定部材位置決め部５０の後部の中間表示線５３を排水ソケット２１のベースプレート２４の中間表示部２４ａに揃え、切り抜き部５１の後縁５１ａを該ベースプレート２４の後縁に当接させる。この際、切り抜き部５１の前縁５１ｂがエルボ体２２の取付プレート２８に重なる場合には、第８図（ａ）の通り、各切り取り線５７に沿ってこの切り抜き部５１の前縁５１ｂの左右両側を切断し、折り線５８に沿って該前縁５１ｂを前方へ折り返す。これにより、排水器具２０の全体が切り抜き部５１の内側に納まるようになる。
【００６９】
次に、この便器固定部材位置決め部５０の前端側の罫書き孔５６を介して、便器固定部材７０の床側部材７１を固定するためのビス７４の打ち込み位置をトイレルーム床面Ｆに罫書く。その後、便器固定部材位置決め部５０を撤去し、ワッシャ７５を介してビス７４により便器固定部材７０の床側部材７１をトイレルーム床面Ｆに固定する。この床側部材７１の上面に結合部材７３を取り付けておく。
【００７０】
その後、第９図（ａ）の通り、洋風便器１０を排水器具２０の上方に配置し、この洋風便器１０の排水口１２を排水ソケット２１のゴムジョイント２７に差し込みつつ、洋風便器１０をトイレルーム床面Ｆに降下させる。この際、該洋風便器１０の後部のビス挿通孔１０ａにビス３３の上端側を挿通すると共に、洋風便器１０の台座スカート部１１の前端部の内側に取り付けられた便器固定部材７０の便器側部材７２を結合部材７３の上に重ねて下方に押し付ける。これにより、結合部材７３を介して便器側部材７２が床側部材７１に結合され、洋風便器１０の前部側がトイレルーム床面Ｆに固定される。洋風便器１０の後部にあっては、ビス３３が洋風便器１０の後部を貫通して上方に突出している。このビス３３にワッシャ（図示略）を介してナット（図示略）を締め込むことにより、洋風便器１０の後部が固定される。このビス３３には化粧キャップ（図示略）が被着される。
【００７１】
これにより、洋風便器１０の設置が完了する。
【００７２】
この洋風便器１０の施工方法に用いられる型紙４０は、トイレルーム壁面Ｗから既設排水管１の軸心までの距離Ｄに対応したアジャスタ管２３の切断位置を示す目盛り４２が設けられたアジャスタ管寸法出し部４１を備えている。従って、このアジャスタ管寸法出し部４１を用いてアジャスタ管２３の寸法出しを行うことにより、アジャスタ管２３自体に目盛りが設けられていなくても、トイレルーム壁面Ｗから既設排水管１の軸心までの距離Ｄに応じて容易にアジャスタ管２３を丁度よい長さＬに寸法出しすることができる。よって、この型紙４０を用いることにより、洋風便器１０の機種によらず、アジャスタ管２３として汎用品を用いることが可能であり、洋風便器１０の機種に対応した専用のアジャスタ管２３を用意することが不要となるため、資材コストを低く抑えることができる。
【００７３】
この実施の形態では、各アジャスタ管寸法出し部４１は帯状のものであり、上記の通り、このアジャスタ管寸法出し部４１の後端４１ａをアジャスタ管２３の後端に揃えて配置し、その長側辺に沿って設けられた目盛り４２を読んでアジャスタ管２３の寸法出しを行う。このように、アジャスタ管寸法出し部４１を物差しのように用いてアジャスタ管２３の寸法出しを行うことができるため、アジャスタ管寸法出し部４１の取り扱いが容易であり、アジャスタ管２３の寸法出しを容易に行うことができる。
【００７４】
この実施の形態では、型紙４０は、洋風便器１０の機種に応じて複数個（この実施の形態では３個）のアジャスタ管寸法出し部４１Ａ，４１Ｂ，４１Ｃを備えているので、適宜、新たに設置される洋風便器１０の機種に対応したアジャスタ管寸法出し部４１Ａ，４１Ｂ又は４１Ｃを用いることにより、１個の型紙４０で複数の機種（この実施の形態では３種）の洋風便器１０に対応したアジャスタ管２３の寸法出しを行うことが可能である。
【００７５】
この実施の形態では、型紙４０は、アジャスタ管寸法出し部４１だけでなく便器固定部材位置決め部５０も備えているため、１個の型紙４０により、アジャスタ管２３の寸法出しと、便器固定部材７０の位置決めの双方を行うことが可能である。
【００７６】
この実施の形態では、この便器固定部材位置決め部５０をトイレルーム床面Ｆに展延させる場合には、トイレルーム床面Ｆに据え付けられた排水器具２０をこの便器固定部材位置決め部５０の切り抜き部５１に入り込ませ、この切り抜き部５１の後縁５１ａを排水ソケット２１のベースプレート２４の後縁に揃えて配置する。これにより、便器固定部材位置決め部５０の位置決めが行われる。その後、この便器固定部材位置決め部５０の前端部の罫書き孔５６を介して、便器固定部材７０の床側部材７１を固定するためのビス位置をトイレルーム床面Ｆに罫書き、この位置にビス７４を打ち込んで床側部材７１をトイレルーム床面Ｆに固定する。この便器固定部材位置決め部５０は、トイレルーム床面Ｆに据え付けられた排水器具２０の排水ソケット２１を用いて位置決めが行われているため、この便器固定部材位置決め部５０による便器固定部材７０の位置決めも精度良く行うことができる。
【００７７】
この実施の形態では、各アジャスタ管寸法出し部４１と便器固定部材位置決め部５０とが分離可能となっているので、アジャスタ管２３の寸法出し作業時に便器固定部材位置決め部５０が邪魔になることがなく、また便器固定部材７０の位置決め作業時に各アジャスタ管寸法出し部４１が邪魔になることがないので、アジャスタ管２３の寸法出し作業と便器固定部材７０の位置決め作業とを効率良く行うことができる。
【００７８】
この実施の形態では、アジャスタ管寸法出し部４１Ａと便器固定部材位置決め部５０との間、アジャスタ管寸法出し部４１Ａ，４１Ｂ同士の間、アジャスタ管寸法出し部４１Ｂ，４１Ｃ同士の間、アジャスタ管寸法出し部４１Ｃと余白部４５との間、並びに余白部４５と便器固定部材位置決め部５０との間にそれぞれ切り取り線６０〜６４が設けられているので、これらを容易に分離させることができる。
【００７９】
この実施の形態では、各切り取り線６０〜６４はミシン目よりなるため、各アジャスタ管寸法出し部４１Ａ，４１Ｂ，４１Ｃ，余白部４５及び便器固定部材位置決め部５０をこのミシン目に沿って手などで簡単に切り離すことができる。
【００８０】
第１０図は、別の実施の形態に係る型紙のアジャスタ管寸法出し部の平面図である。
【００８１】
この実施の形態では、アジャスタ管寸法出し部４１Ｄは、１個で３種類の機種の洋風便器１０に対応することができるように構成されている。この実施の形態では、アジャスタ管寸法出し部４１Ｄの後端側の上面に、このアジャスタ管寸法出し部４１Ｄの後端４１ａ（基準部）から目盛り４２までの長さを調節するための目印線４６（４６ａ，４６ｂ）が設けられている。この実施の形態では、アジャスタ管寸法出し部４１Ｄの長手方向に所定の間隔をおいて２個の目印線４６ａ，４６ｂが設けられている。各目印線４６ａ，４６ｂは、それぞれアジャスタ管寸法出し部４１Ｄの長手方向と直交方向に延在している。アジャスタ管寸法出し部４１Ｄの後端４１ａ（以下、アジャスタ管寸法出し部４１Ｄの最後端４１ａという。）及び各目印線４６ａ，４６ｂから共通の目盛り４２までの距離は、それぞれ、対応する洋風便器１０の機種に応じて設定されている。なお、目印線４６の個数は２個に限定されるものではなく、１個又は３個以上設けられてもよい。目印線４６の個数が増えるほど、１個のアジャスタ管寸法出し部４１Ｄによって対応しうる洋風便器１０の機種も増える。
【００８２】
このアジャスタ管寸法出し部４１Ｄは、洋風便器１０の機種に応じて、その最後端４１ａをアジャスタ管２３の後端に揃えて該アジャスタ管２３の寸法出しを行うか、該アジャスタ管寸法出し部４１Ｄの後端側を目印線４６ａ又は４６ｂに沿って切断又は折り曲げしてからアジャスタ管２３の後端に揃えて該アジャスタ管２３の寸法出しを行う。これにより、洋風便器１０の機種に応じてアジャスタ管２３の後端に揃える基準部の位置が変わるため、洋風便器１０の機種が異なっても、共通の目盛り４２によってアジャスタ管２３の寸法出しを行うことが可能である。
【００８３】
なお、第１０図の符号４７ａは、アジャスタ管寸法出し部４１Ｄの後端側を目印線４６ａに沿って切断又は折り曲げしてからアジャスタ管２３の後端に揃えて該アジャスタ管２３の寸法出しを行う場合のアジャスタ管２３の長さＬの上限値を示す線であり、符号４７ｂは、アジャスタ管寸法出し部４１Ｄの後端側を目印線４６ｂに沿って切断又は折り曲げしてからアジャスタ管２３の後端に揃えて該アジャスタ管２３の寸法出しを行う場合のアジャスタ管２３の長さＬの上限値を示す線であり、符号４７ｃは、アジャスタ管寸法出し部４１Ｄの最後端４１ａをアジャスタ管２３の後端に揃えて該アジャスタ管２３の寸法出しを行う場合のアジャスタ管２３の長さＬの上限値を示す線である。
【００８４】
このアジャスタ管寸法出し部４１Ｄのその他の構成は、前述の実施の形態のアジャスタ管寸法出し部４１Ａ〜４１Ｃと同様である。前述の実施の形態の型紙４０において、アジャスタ管寸法出し部４１Ａ，４１Ｂ，４１Ｃの代わりに、このアジャスタ管寸法出し部４１Ｄを設ける場合には、例えば、アジャスタ管寸法出し部４１Ａの位置にこのアジャスタ管寸法出し部４１Ｄに配置し、アジャスタ管寸法出し部４１Ｂ，４１Ｃを省略して余白部４５とするように構成してもよい。なお、アジャスタ管寸法出し部４１Ｄを備えた型紙４０の構成はこれに限定されない。
【００８５】
以上の通り、このアジャスタ管寸法出し部４１Ｄにあっては、適宜、新たに設置される洋風便器１０の機種に応じて、その最後端４１ａをアジャスタ管２３の後端に揃えるか、あるいはその後端側を各目印線４６ａ，４６ｂに沿って切断又は折り曲げしてからアジャスタ管２３の後端に揃えることにより、１個の該アジャスタ管寸法出し部４１Ｄによって複数の機種（この実施の形態では３種）の洋風便器１０に対応したアジャスタ管２３の寸法出しを行うことが可能である。
【００８６】
このアジャスタ管寸法出し部４１Ｄのその他の作用効果は、前述の実施の形態における各アジャスタ管寸法出し部４１Ａ，４１Ｂ，４１Ｃと同様である。
【００８７】
上記実施の形態はいずれも本発明の一例であり、本発明は図示以外の態様とされてもよい。
【００８８】
例えば、上記の実施の形態では、型紙４０は、アジャスタ管２３の寸法出しを行うためのアジャスタ管寸法出し部４１と、便器固定部材７０の位置決めを行うための便器固定部材位置決め部５０とを備えているが、アジャスタ管寸法出し部４１のみを備えたものであってもよい。
【００８９】
第１０図のアジャスタ管寸法出し部４１Ｄは、洋風便器１０の機種に応じて基準部（後端）の位置を調節することにより、洋風便器１０の機種が異なっても共通の目盛り４２によってアジャスタ管２３の寸法出しを行うように構成しているが、これとは逆に、洋風便器１０の機種に応じてアジャスタ管寸法出し部４１Ｄの後端４１ａからの距離が異なる複数の目盛り４２を並列に設け、洋風便器１０の機種が異なっても共通の基準部にアジャスタ管２３の後端を揃えてアジャスタ管２３の寸法出しを行うように構成してもよい。
【符号の説明】
【００９０】
１  既設排水管
２  既設フランジ
３  ボルト
１０  洋風便器
１２  排水口
２０  排水器具
２１  排水ソケット
２２  エルボ体
２３  アジャスタ管
２４  ベースプレート
２５  筒部
２６  便器排水口接続口
２７  ゴムジョイント
２８  取付プレート
２９  筒部
３０  アジャスタ管接続口
３１  排水管接続口
４０  型紙
４１（４１Ａ，４１Ｂ，４１Ｃ），４１Ｄ  アジャスタ管寸法出し部
４２  目盛り
４４  切断予定線
４６  目印線
５０  便器固定部材位置決め部
５１  切り抜き部
５５  固定部材設置位置表示部
５６  罫書き孔
６０，６１，６２，６３，６４  切り取り線
７０  便器固定部材
７１  床側部材
７２  便器側部材
７３  結合部材
【図１】
0005600974.tif 000002
【図２】
0005600974.tif 000003
【図３】
0005600974.tif 000004
【図４】
0005600974.tif 000005
【図５】
0005600974.tif 000006
【図６】
0005600974.tif 000007
【図７】
0005600974.tif 000008
【図８】
0005600974.tif 000009
【図９】
0005600974.tif 000010
【図１０】
0005600974.tif 000011